【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
腸パッキングのためのデバイスであって：
本質的に楕円形の形状の、前記楕円の短軸に沿って本質的に対称性のデバイス、ここで前記楕円は、長さを備える短軸と、長さを備える長軸と、周囲とを備え、ここで前記デバイスは前記短軸上において前記長軸の下に位置するノッチを備える；
ここで、前記デバイスは弾性化合物を含む材料からなり、および前記デバイスは哺乳動物の腸を保定するために適切なサイズである
を備える、前記デバイス。
【請求項２】
請求項１に記載のデバイスであって：
本質的に楕円形の形状を有するデバイスが周囲において少なくとも４個のラジアルノッチを備え、ここで、
（ａ）長軸の上に配置される１または２以上のラジアルノッチ、ここで各々のノッチは、前記周囲上の前記ノッチの中心から前記ノッチの基部までの長さを備え、ここで前記ノッチの長さは前記短軸の長さの約３０％〜約４０％を含み、各々のノッチは前記楕円の周囲において前記楕円の長軸の長さの約１０％〜約１５％の幅を備える；
（ｂ）前記短軸上において長軸の下に位置する第２のラジアルノッチ、ここで前記第２のノッチは、前記周囲から前記ノッチの頂部までの、前記短軸の長さの約３０％〜約４０％の長さ、および前記周囲において前記長軸の長さの約３２％〜約４２％の幅を備える；
（ｃ）前記短軸の左右に配置される２または３以上のラジアルノッチ、ここで、各々のノッチは、前記長軸の長さの少なくとも約５〜１５％を含む、前記周囲における前記ノッチの中心から前記ノッチの基部までの長さを備える；
ここで、前記デバイスは、弾性ポリマーを含む材料からなり、ここで前記弾性ポリマーは、約０．１ＭＰａ〜約１０ＭＰａの弾性係数を備え、前記デバイスは、哺乳動物の腸を保定するために適切なサイズである
前記デバイス。
【請求項３】
請求項１に記載のデバイスであって：
第１の長端と、これと向かい合う第２の長端、ならびに第１の短端および第２の短端を備える、本質的に長方形の主部；ここで、前記第１および第２の短端が前記長端を分離し、ここで、
ａ）前記第１の長端は、前記第１の長端の長さに沿って、高さおよび幅を備える頂部フラップに連続的に繋がり、ここで前記頂部フラップは、該フラップが結合している前記主部の長端と向かい合う前記フラップの端部からのカットアウトを備え、ここで前記カットアウトの深さは、前記頂部フラップの高さの少なくとも８０％を含み；
ｂ）前記第２の長端は、第２の端部の長さに沿って、二分岐した底部フラップに連続的に繋がり、ここで、前記二分岐した底部フラップの各半体が高さおよび幅を備え、ここで前記各フラップ半体の高さおよび幅は、他方のフラップ半体の高さおよび幅と本質的に同じであり、前記フラップの幅は、前記長端の各々の側においてデバイスの主部の前記長端の長さを約１０〜２０％超えて伸長し、ここで前記底部フラップは、該フラップが結合している前記主部の長端に向かい合う前記フラップの端部において、カットアウトにより二分岐し、ここで前記カットアウトの幅は、前記デバイスの長端の長さの約３０％〜約５５％であり、前記カットアウトは、前記デバイスの主部の長端に沿った中心にあり、前記カットアウトの高さは、前記主部の第１の長端に垂直な最も高い点におけるデバイスの高さの約２５％〜約４０％であり；ならびに、
ｃ）第１の短端は、前記第１の端部の長さに沿って第１の側部フラップに連続的に繋がり、第２の短端は、前記第２の短端の長さに沿って第２のフラップに連続的に繋がり、ここで前記第１の側部フラップおよび第２の側部フラップは、高さおよび幅を備え、前記第１の側部フラップの各々の高さおよび幅は、前記第２の側部フラップの高さおよび幅とほぼ同じであり；ここで各々の側部フラップの幅は、前記デバイスの全幅の約１０〜２０％であり、
ここで、各々の側部フラップの下端は、底部フラップ半体とともに、滑らかな端部を形成し；前記デバイスは、哺乳動物の腸パッキングのために適切なサイズであり；および前記デバイスは、弾性ポリマーを含む材料からなり、ここで該弾性ポリマーは、約０．１ＭＰａ〜約１０ＭＰａの弾性係数を備える、
を備える、前記デバイス。
【請求項４】
本質的に凹状である、請求項１〜３のいずれか一項に記載のデバイス。
【請求項５】
ラジアルノッチの形状が、Ｖ形状、Ｕ形状およびベル形状からなる群より独立して選択される、請求項１〜４のいずれか一項に記載のデバイス。
【請求項６】
さらにコーティングを備える、請求項１〜５のいずれか一項に記載のデバイス。
【請求項７】
コーティングが、SEPRAFILM（登録商標）、INTERCEED（登録商標）、SIROLIMUS（登録商標）、PACLITAXEL（登録商標）、EVEROLIMUS（登録商標）、TRANILAST（登録商標）、DACRON（登録商標）、SPRAYGEL（登録商標）、ADHIBIT（登録商標）、TEFLON（登録商標）、PRECLUDE（登録商標）Gore、SyntheMed REPEL-CV（登録商標）、DuraGen、ADCONTM P（Gliatech）、REPELTMおよびRESOLVETM（Life Medical Sciences）、INTERGELTM（かつてのLUBRICOAT（登録商標））、イコデキストリン、ヒアルロン酸、ヘパリン、デキストラン、組織プラスミノーゲン活性化因子、コルチコステロイド類、イブプロフェンなどの非ステロイド性抗炎症薬（NSAIDS）、コンドロイチン硫酸、カルボキシメチルセルロース、デキサメタゾン、組み換え組織プラスミノーゲンを含む組織プラスミノーゲン、オキシフェンブタゾン、コラーゲン、コラーゲン阻害剤、ポリ乳酸、ポリグリコール酸、アルギン酸、ポリカプロラクトン、グリコサミノグリカン類、ポリエチレンオキシド（PEO）、任意のモノマー比におけるポリエチレンオキシド−ポリプロピレンオキシドコポリマー（PEG-PPO-PEG）、ヒドロキシエチルメチルアクリレート（HEMA）、ポリ（Ｎ−イソプロピルアクリルアミド）（NIPAAm）、ポリテトラフルオロエチレン（PTFE）、ポリエステル類、およびシランからなる群より選択される化合物、または高周波ガス放電（RFGD）および放射線グラフティングによる修飾、ポリテトラフルオロエチレン（PTFE）、ポリ乳酸、ポリグリコール酸、アルギン酸、ポリカプロラクトン、グリコサミノグリカン類、HEMA、ePTFE、ポリエステル類、カルボキシメチルセルロース、デキサメタゾン、組み換え組織プラスミノーゲンを含む組織プラスミノーゲン、オキシフェンブタゾン、コルチコステロイド類、イコデキストリン、ヒアルロン酸、ヒアルロナン、コラーゲン阻害剤、およびシラン、ならびに高周波ガス放電（RFGD）および放射線グラフティングの修飾を含む、請求項６に記載のデバイス。
【請求項８】
弾性化合物が、シリコーン、液体シリコーンゴム（ＬＳＲ）、ポリジメチルシロキサン（ＰＤＭＳ）、スチレンブタジエンゴム、スチレンブタジエンスチレン（ＳＢＳ）ゴム、ニトリルゴムおよびポリクロロプレンからなる群より選択される化合物を含む、請求項１〜７のいずれか一項に記載のデバイス。
【請求項９】
弾性化合物が、弾性化合物の複合材料を含む、請求項１〜８のいずれか一項に記載のデバイス。
【請求項１０】
弾性化合物中に被覆された繊維を含む、請求項１〜９のいずれか一項に記載のデバイス。
【請求項１１】
腹部手術の間に対象における腹腔内温度を維持するためのデバイスの使用であって：
請求項１〜１０のいずれか一項に記載のデバイスを提供すること
対象において腸を手術部位から遠くに保定するために、前記対象の腸を前記デバイスと接触させること、および
前記腹部手術の間、前記デバイスを前記腸に対して保持すること
を含む、前記使用。
【請求項１２】
デバイスが凹面を備え、腸が前記デバイスの凹面と接触させられる、請求項１１に記載の使用。
【請求項１３】
デバイスが０．１ＭＰａ〜１０ＭＰａの圧縮の係数を備える、請求項１１または１２に記載の使用。
【請求項１４】
方法が腹部手術の間に腹腔内温度を上昇させることをさらに含む、請求項１１〜１３のいずれか一項に記載の使用。
【請求項１５】
方法が腸パッキングを含み、腸パッキング時間が、開腹手術用パッドによる腸パッキングと比較して短縮される、請求項１１〜１４のいずれか一項に記載の使用。